(57)【要約】【課題】撮影者に画角のずれによる違和感を与えることなく被写体のピントずれを補い、使い勝手を向上させる撮像装置を提供する。【解決手段】光学像の結像面での合焦状態を判定する合焦判定手段を有し、前記合焦判定手段の判定結果が非合焦である場合（Ｓ３０５）、ズームレンズ位置を被写界深度が深くなる側へ移動するとともに、画像データを電子的に拡大する（Ｓ３０９〜Ｓ３１１）。【選択図】図５
2006235060.tif 000002
【特許請求の範囲】
【請求項１】
光学像の結像面での合焦状態を判定する合焦判定手段を有する撮像装置であって、
前記合焦判定手段の判定結果が非合焦である場合、ズームレンズ位置を被写界深度が深くなる側へ移動するとともに、画像データを電子的に拡大することを特徴とする撮像装置。
【請求項２】
前記画像データを電子的に拡大するとは、前記ズームレンズ位置の移動による被写体の画角のずれを補うために、撮像範囲の一部を切り出して電子的に拡大することであることを特徴とする請求項１に記載の撮像装置。
【請求項３】
フォーカスレンズ位置及びズームレンズ位置が可変の撮影レンズと、
前記撮影レンズによる光学像の結像面での合焦状態を判定する合焦判定手段と、
前記光学像の画像データを表示する画像表示手段と、
を有する撮像装置であって、
前記合焦判定手段の判定結果が非合焦である場合に、前記撮影レンズのズームレンズ位置を被写界深度が深くなる側に移動させるズーム移動制御手段と、
前記ズーム移動制御手段の前記動作に伴って前記画像データを拡大して、前記画像表示手段に表示される撮像範囲をズームレンズ位置移動前と同等にする画像表示制御手段と、
を具備することを特徴とする撮像装置。
【発明の詳細な説明】
【技術分野】
【０００１】
本発明は、自動焦点調節機能を有する撮像装置に関するものである。
【背景技術】
【０００２】
従来、被写体距離と適正絞り値を求め、次いで被写体が合焦となるか否かを判別し、合焦となる場合には、そのまま撮影動作を許容し、非合焦であれば、被写界深度が深くなる側に絞り値を変更して撮影動作を許容する制御手段を設けた撮像装置が提案されている（特許文献１）。この技術により、適正絞り値で被写体が深度内に収まっていない場合でも画像のピントずれを補うことが可能である。
【特許文献１】特開平８−７６１６９号公報
【発明の開示】
【発明が解決しようとする課題】
【０００３】
しかしながら、上記の従来例では、被写体が非合焦であった場合に絞りを深度が深くなるように絞った状態にしても被写体が深度内に収まりきらない場合があり、該被写体が必ずしも合焦状態にならない虞があった。
【０００４】
（発明の目的）
本発明の目的は、撮影者に画角のずれによる違和感を与えることなく被写体のピントずれを補い、使い勝手を向上させることのできる撮像装置を提供しようとするものである。
【課題を解決するための手段】
【０００５】
上記目的を達成するために、本発明は、光学像の結像面での合焦状態を判定する合焦判定手段を有する撮像装置であって、前記合焦判定手段の判定結果が非合焦である場合、ズームレンズ位置を被写界深度が深くなる側へ移動するとともに、画像データを電子的に拡大する撮像装置とするものである。
【発明の効果】
【０００６】
本発明によれば、撮影者に画角のずれによる違和感を与えることなく被写体のピントずれを補い、使い勝手を向上させることができる撮像装置を提供できるものである
【発明を実施するための最良の形態】
【０００７】
本発明を実施するための最良の形態は、以下に記載の一実施例に示す通りである。
【実施例】
【０００８】
図１は本発明の一実施例に係わる撮像装置の回路構成を示すブロック図である。同図において、１００は撮像装置であり、以下の各種の部品を具備している。
【０００９】
１０はフォーカシングレンズ及びズームレンズを含む撮影レンズ、１２は絞り機能を備えるシャッタ、１４は光学像を電気信号に変換する撮像素子、１６は撮像素子１４のアナログ信号出力をディジタル信号に変換するＡ／Ｄ変換器である。１８は、撮像素子１４、Ａ／Ｄ変換器１６及びＤ／Ａ変換器２６にクロック信号や制御信号を供給するタイミング発生回路であり、メモリ制御回路２２及びシステム制御回路５０により制御される。
【００１０】
２０は画像処理回路であり、Ａ／Ｄ変換器１６からのデータ或いはメモリ制御回路２２からのデータに対して所定の画素補間処理や色変換処理を行う。また、画像処理回路２０では、撮像した画像データを用いて所定の演算処理を行い、得られた演算結果に基づいてシステム制御回路５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０では、撮像した画像データを用いて所定の演算処理を行い、得られた演算結果に基づいてＴＴＬ方式のＡＷＢ（オートホワイトバランス）処理も行っている。
【００１１】
２２はメモリ制御回路であり、Ａ／Ｄ変換器１６、タイミング発生回路１８、画像処理回路２０、画像表示メモリ２４、Ｄ／Ａ変換器２６、メモリ３０及び圧縮／伸張回路３２を制御する。Ａ／Ｄ変換器１６のデータが、画像処理回路２０及びメモリ制御回路２２を介して、或いはＡ／Ｄ変換器１６のデータが、直接メモリ制御回路２２を介して、画像表示メモリ２４或いはメモリ３０に書き込まれる。
【００１２】
２４は画像表示メモリ、２６はＤ／Ａ変換器である。２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００１３】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。３２は適応離散コサイン変換（ＡＤＣＴ）等により画像データを圧縮伸長する圧縮／伸長回路であり、メモリ３０に格納された画像を読み込んで圧縮処理或いは伸長処理を行い、処理を終えたデータをメモリ３０に書き込む。
【００１４】
４０は絞り機能を備えるシャッタ１２を制御する露光制御部であり、フラッシュ４８と連携することによりフラッシュ調光機能も有するものである。４２は撮影レンズ１０のフォーカシングを制御する測距制御部、４４は撮影レンズ１０のズーミングを制御するズーム制御部、４６はバリアである保護部材１０２の動作を制御するバリア制御部である。４８はフラッシュであり、ＡＦ補助光の投光機能、フラッシュ調光機能も有する。
【００１５】
上記の露光制御部４０及び測距制御部４２はＴＴＬ方式を用いて制御されており、撮像した画像データを画像処理回路２０によって演算した演算結果に基づき、システム制御回路５０が露光制御部４０、測距制御部４２に対して制御を行う。
【００１６】
５０は撮像装置１００全体を制御するシステム制御回路、５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。
【００１７】
上記表示部５４での表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。また、表示部５４の表示内容のうち、光学ファインダー１０４内に表示するものとしては、合焦表示、手振れ警告表示、フラッシュ充電表示、シャッタスピード表示、絞り値表示、露出補正表示、等がある。
【００１８】
５６は電気的に消去・記録可能な不揮発性メモリであり、例えばＥＥＰＲＯＭ等が用いられる。６０，６２，６４，６６，６８及び７０は、システム制御回路５０の各種の動作指示を入力するための操作部であり、以下のスイッチやダイアル、タッチパネル、視線検知によるポインティング、音声認識装置等の単数或いは複数の組み合わせで構成される。
【００１９】
ここで、これらの操作部について説明を行う。６０はモードダイアルスイッチであり、電源オフ、自動撮影モード、撮影モード、パノラマ撮影モード、再生モード、マルチ画面再生・消去モード、ＰＣ接続モード等の各機能モードを切り替え設定することが出来る。
【００２０】
６２及び６４はシャッタスイッチであり、一つのスイッチが２段階に操作可能になっており、シャッタスイッチを１段階押した状態でシャッタスイッチＳＷ１が操作された状態（ＯＮの状態）になり、２段階押した状態でシャッタスイッチＳＷ２が操作された状態（ＯＮの状態）になる。６２は上記のようにシャッタスイッチＳＷ１であり、ＡＦ（オートフォーカス）処理、ＡＥ（自動露出）処理、ＡＷＢ（オートホワイトバランス）処理、ＥＦ（フラッシュプリ発光）処理等の撮影準備動作の開始を指示するものである。６４は上記のようにシャッタスイッチＳＷ２であり、撮像素子１４から読み出した信号をＡ／Ｄ変換器１６、メモリ制御回路２２を介してメモリ３０に画像データとして書き込む露光処理、画像処理回路２０やメモリ制御回路２２での演算を用いた現像処理および画像データの拡大／縮小処理、メモリ３０から画像データを読み出し、圧縮／伸長回路３２で圧縮を行い、記録媒体２００或いは２１０に画像データを書き込む記録処理という一連の処理の撮影動作の開始を指示するものである。
【００２１】
また、６６は画像表示ＯＮ／ＯＦＦスイッチであり、画像表示部２８のＯＮ／ＯＦＦを設定することが出来る。この機能により、光学ファインダー１０４を用いて撮影を行う際に、ＴＦＴ  ＬＣＤ等から成る画像表示部２８への電流供給を遮断することにより、省電力を図ることが可能となる。６８は動画撮影スイッチであり、１段階で操作可能でＡＦ（オートフォーカス）処理、ＡＥ（自動露出）処理、ＡＷＢ（オートホワイトバランス）処理、ＥＦ（フラッシュプリ発光）処理等の動作をした後、撮像素子１４から読み出した信号をＡ／Ｄ変換器１６、メモリ制御回路２２を介してメモリ３０に画素で構成される画像データを書き込む露光処理、画像処理回路２０やメモリ制御回路２２での演算を用いた現像処理、メモリ３０から画像データを読み出し、圧縮／伸長回路３２で圧縮を行い、記録媒体２００或いは２１０に画像データを連続して動画データとして書き込む記録処理という一連の処理の動作開始を指示するものである。７０は各種ボタンやタッチパネル等からなる操作部であり、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等を含む。
【００２２】
８０は電源制御部であり、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２は後述の電源装置１５０側と電気的に接続される端子を具備するコネクタである。
【００２３】
９０及び９４はメモリカードやハードディスク等の記録媒体とのインターフェース、９２及び９６はメモリカードやハードディスク等の記録媒体と接続を行うコネクタ、９８はコネクタ９２，９６に記録媒体２００或いは２１０が装着されているか否かを検知する記録媒体着脱検知部である。
【００２４】
なお、本実施例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ）カード等の規格に準拠したものを用いて構成しても構わない。さらに、インターフェース９０及び９４、そしてコネクタ９２及び９６をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００２５】
１０２は撮像装置１００のレンズ１０を含む撮像部を覆う事により、撮像部の汚れや破損を防止するバリアである保護部材である。１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタスピード表示、絞り値表示、露出補正表示などが設置されている。１１０は通信部であり、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信部１１０により撮像装置１００を他の機器と接続するコネクタ或いは無線通信の場合はアンテナである。
【００２６】
以上で、撮像装置１００内の構成部品の説明を終える。
【００２７】
１５０は電源装置であり、該電源装置は、撮影装置１００に具備されたコネクタ８２と電気的に接続されるコネクタ１５２、アルカリ電池やリチウム電池等の一次電池やＮｉＣｄ電池やＮｉＭＨ電池、Ｌｉ電池等の二次電池、ＡＣアダプター等からなる電源１５４を備えている。
【００２８】
２００はメモリカードやハードディスク等の記録媒体であり、該記録媒体２００は、半導体メモリや磁気ディスク等から構成される記録部２０２、撮像装置１００とのインターフェース２０４、撮像装置１００側のコネクタ９２と接続されるコネクタ２０６を備えている。２１０はメモリカードやハードディスク等の記録媒体であり、該記録媒体２１０は、半導体メモリや磁気ディスク等から構成される記録部２１２、撮像装置１００とのインターフェース２１４、撮像装置１００側のコネクタ９６と接続されるコネクタ２１６を備えている。
【００２９】
次に、図２〜図６を用いて、上記構成の撮像装置の動作について説明する。なお、図２及び図３は、撮像装置のメイン動作を示すフローチャートであり、図４及び図５は、メイン動作において実行される測光・測距（１）、測光・測距（２）のサブルーチンを示すフローチャートである。また、図６は測光・測距（２）のサブルーチンにおいて使用される画像拡大指定のデータテーブルを示す図である。
【００３０】
電池交換等の電源投入がなされると、システム制御回路５０は、図２のステップＳ１０１より動作を開始する。まず、ステップＳ１０１では、フラグや制御変数等を初期化し、次のステップＳ１０２にて、画像表示部２８の画像表示をＯＦＦ状態に初期設定する。続くステップＳ１０３では、モードダイアル６０の設定位置を判定し、モードダイアル６０が電源ＯＦＦに設定されていたならばステップＳ１０５に進み、各表示部の表示を終了状態に変更し、保護部材１０２のバリアを閉じて撮像部を保護し、フラグや制御変数等を含む必要なパラメータや設定値、設定モードを不揮発性メモリ５６に記録し、電源制御部８０により画像表示部２８を含む撮像装置１００内の各部の不要な電源を遮断する、等の所定の終了処理を行う。そして、ステップＳ１０３に戻る。
【００３１】
上記ステップＳ１０３にてモードダイアル６０がその他のモードに設定されていると判定した場合は、システム制御回路５０は、ステップＳ１０４に動作を進める。そして、このステップＳ１０４では、選択されたモードに応じた処理を実行し、処理を終えたならばステップＳ１０３に戻る。
【００３２】
上記ステップＳ１０３にてモードダイアル６０が撮影モードに設定されていると判定した場合は、システム制御回路５０は、ステップＳ１０６に動作を進める。そして、このステップＳ１０６では、電源制御部８０により電池１５４等から構成される電源装置１５０の残容量や動作情況が撮像装置１００の動作に問題があるか否かを判定し、問題があるならばステップＳ１０８に進み、表示部５４を用いて画像や音声により所定の警告表示を行う。そして、ステップＳ１０３に戻る。
【００３３】
一方、上記ステップＳ１０６にて電源装置１５０に問題が無いと判定したならば、システム制御回路５０は、ステップＳ１０７に動作を進め、ここでは記録媒体２００或いは２１０の動作状態が撮像装置１００の動作、特に記録媒体に対する画像データの記録再生動作に問題があるか否かを判定する。この結果、問題があるならばステップＳ１０８に進み、表示部５４を用いて画像や音声により所定の警告表示を行う。そして、ステップＳ１０３に戻る。
【００３４】
また、上記ステップＳ１０７にて記録媒体２００或いは２１０の動作状態に問題が無いと判定したならば、システム制御回路５０は、ステップＳ１０９に動作を進め、ここでは表示部５４を用いて画像や音声により撮像装置１００の各種設定状態の表示を行う。なお、画像表示部２８の画像表示がＯＮであったならば、画像表示部２８も用いて画像や音声により撮像装置１００の各種設定状態の表示を行う。次のステップＳ１１０では、画像表示ＯＮ／ＯＦＦスイッチ６６の設定状態を調べ、画像表示ＯＮに設定されていたならばステップＳ１１１に進み、画像表示フラグを設定し、続くステップＳ１１２にて、画像表示部２８の画像表示をＯＮ状態に設定する。そして、次のステップＳ１１３にて、撮像した画像データを逐次表示するスルー表示状態に設定して、図３のステップＳ１１６に進む。
【００３５】
上記スルー表示状態においては、撮像素子１４、Ａ／Ｄ変換器１６、画像処理回路２０、メモリ制御回路２２を介して、画像表示メモリ２４に逐次書き込まれたデータが、メモリ制御回路２２、Ｄ／Ａ変換器２６を介して画像表示部２８により逐次表示される。つまり、電子ファインダー機能を実現している。
【００３６】
上記ステップＳ１１０にて画像表示ＯＮ／ＯＦＦスイッチ６６が画像表示ＯＦＦに設定されていたならば、システム制御回路５０は、ステップＳ１１４に進み、画像表示フラグを解除し、次のステップＳ１１５にて、画像表示部２８の画像表示をＯＦＦ状態に設定して、図３のステップＳ１１６に進む。
【００３７】
上記画像表示ＯＦＦの場合は、撮影者は、画像表示部２８による電子ファインダー機能は使用せず、光学ファインダー１０４を用いて撮影を行うことになる。この場合、電力消費量の大きい画像表示部２８やＤ／Ａ変換器２６等の消費電力を削減することが可能である。なお、画像表示フラグの状態は、システム制御回路５０の内部メモリ或いはメモリ５２に記憶しておく。
【００３８】
図３のステップＳ１１６に進むと、システム制御回路５０は、シャッタスイッチＳＷ１が押されている（ＯＮされている）か否かを判定し、押されていない場合は、図２のス  テップＳ１０３に戻る。
【００３９】
一方、シャッタスイッチＳＷ１が押されていると判定した場合は、システム制御回路５０は、ステップＳ１１７に進み、ここではシャッタスイッチＳＷ１とシャッタスイッチＳＷ２が同時に押されているかの判定を行い、同時に押されておらず、シャッタスイッチＳＷ１のみが押されている状態であればステップＳ１１８に進み、該システム制御回路５０の内部メモリ或いはメモリ５２に記憶される画像表示フラグの状態を判定する。この結果、画像表示フラグが設定されていたならばステップＳ１１９に進み、画像表示部２８の表示状態をフリーズ表示状態に設定して、ステップＳ１２０の測距・測光動作（１）に進む。また、画像表示フラグが設定されていなければ、ステップＳ１１８から直ちにステップＳ１２０の測距・測光動作（１）に進む。
【００４０】
ここで、上記ステップＳ１２０にて実行される測距・測光動作（１）について、図４のフローチャートを用いて詳述する。
【００４１】
まず、ステップＳ２０１では、システム制御回路５０は、測光動作を行う。そして、次のステップＳ２０２にて、ＡＦ用電子シャッタ及びゲインの計算を行い、続くステップＳ２０３にて、ＡＦ用電子シャッタ及びゲインの設定を行う。そして、ステップＳ２０４にて、ＡＦ動作を行い、次のステップＳ２０５にて、ＡＷＢ動作を行う。
【００４２】
ステップＳ２０６では、再び測光動作を行い、次のステップＳ２０７では、撮影用の電子シャッタ及びゲイン計算を行い、続くステップＳ２０８では、撮影用の電子シャッタ及びゲイン設定を行う。そして、この測距・測光動作（１）を終了し、図３のステップＳ１２１に進む。
【００４３】
図３に戻り、上記ステップＳ１１７にてシャッタスイッチＳＷ１とシャッタスイッチＳＷ２が同時に押されていると判定したならば、システム制御回路５０は、ステップＳ１２５に進み、該システム制御回路５０の内部メモリ或いはメモリ５２に記憶される画像表示フラグの状態を判定し、画像表示フラグが設定されていたならばステップＳ１２６に進み、画像表示部２８の表示状態をフリーズ表示状態に設定して、ステップＳ１２７の測距・測光動作（２）に進む。また、画像表示フラグが設定されていなければ、ステップＳ１２５から直ちにステップＳ１２７の測距・測光動作（２）に進む。
【００４４】
ここで、上記ステップＳ１２７にて実行される測距・測光動作（２）について、図５のフローチャートを用いて詳述する。
【００４５】
まず、ステップＳ３０１では、システム制御回路５０は、測光動作を行う。そして、次のステップＳ３０２にて、ＡＦ用電子シャッタ及びゲインの計算を行い、続くステップＳ３０３にて、ＡＦ用電子シャッタ及びゲインの設定を行う。そして、ステップＳ３０４にて、ＡＦ動作を行い、次のステップＳ３０５にて、ＡＦ結果が合焦であるか否かの判定を行い、ＡＦ合焦結果が合焦であればステップＳ３１２に進み、ＡＦ合焦結果が非合焦であればステップＳ３０６〜Ｓ３１１の処理を実行して、ステップＳ３１２に進む。
【００４６】
上記ステップＳ３０５にてＡＦ合焦結果が非合焦であるとしてステップＳ３０６に進むと、システム制御回路５０は、絞りが絞れるか否かを判定し、絞りを絞れない場合は直ちにステップＳ３０９に進む。また、絞りを絞れる場合はステップＳ３０７に進み、絞りを絞ってステップＳ３０８に進む。
【００４７】
ステップＳ３０８に進むと、再度ＡＦ合焦結果が合焦か非合焦かを判定し、合焦の場合は直ちにステップＳ３１２に進み、非合焦の場合はステップＳ３０９に進む。ステップＳ３０９へ進むと、システム制御回路５０は、ズームレンズをワイド方向へ移動できるか否かを判定し、ワイド方向へ移動できない場合は直ちにステップＳ３１２へ進む。一方、ズームレンズをワイド方向へ移動できる場合はステップＳ３１０に進み、ズームレンズを広角側へ移動し、次のステップＳ３１１にて、ワイド側へ移動した分のずれを補うために画像拡大設定をし、ステップＳ３１２へ進む。
【００４８】
ここで、図６に示すように、撮像装置は、ズームレンズを広角側に移動させる前のズームレンズが停止するステップの位置に対応する、切り出す切り出しの画像データの水平切り出し画素サイズのテーブルを持っている。拡大設定は、水平の切り出し画素サイズを指定する。停止位置がステップ０の場合はズームレンズが広角側の位置にあった場合であり、切り出しサイズは拡大しない場合と同じサイズである。ステップの値が大きくなるほど、望遠側になる。例えば、広角側に移動させる前のズームレンズの停止位置が１０であった場合、拡大無しの水平サイズ２０４８画素から中心水平サイズ１８８８画素を切り出し、２０４８画素に拡大する設定である。垂直サイズに関しては拡大しない場合と同じアスペクト比になるように拡大する。
【００４９】
その後はステップＳ３１２に進み、システム制御回路５０は、ＡＷＢ動作を行い、次のステップＳ３１３にて、再び測光動作を行い、続くステップＳ３１４にて、撮影用の電子シャッタ及びゲイン計算を行う。そして、ステップＳ３１５にて、絞りを絞った分やズームレンズをワイド方向へ移動させたことによるＦ値の変化分などのゲイン補正計算を行い、次のステップＳ３１６にて、撮影用の電子シャッタ及びゲイン設定を行う。そして、この測距・測光動作（２）を終了し、図３のステップＳ１２８に進む。
【００５０】
上記のように、シャッタスイッチＳＷ１とシャッタスイッチＳＷ２が同時に押されていた場合において、ＡＦ合焦結果が非合焦であった場合はズームレンズをワイド側へ移動させて、被写界深度の深い状態にし、画像拡大設定を行い、画像処理回路２０で画像データを拡大する（撮像範囲の一部を切り出して拡大する）ことにより、撮影者に画角のずれによる画像の違和感を与えることなく被写体のピントずれを補うことが可能となる。
【００５１】
図３に戻り、上記測距・測光（１）の処理を終えた後は、システム制御回路５０は、ステップＳ１２３にて画像表示フラグが設定されていれば、次のステップＳ１２４にて、画像表示部２８の表示状態をスルー表示状態に設定して、ステップＳ１２１，Ｓ１２２にて、シャッタスイッチＳＷ２が押されるか、シャッタスイッチＳＷ１が解除されるまで、スルー画を表示し続ける。
【００５２】
上記ステップＳ１２１にてシャッタスイッチＳＷ２が押されず、次のステップＳ１２２にてシャッタスイッチＳＷ１の押圧も解除されたならば、システム制御回路５０は、図２のステップＳ１０３に戻る。
【００５３】
上記ステップＳ１２１にてシャッタスイッチＳＷ２が押されたか、上記測距・測光（２）の処理を終えた後は、システム制御回路５０は、ステップＳ１２８にて、該システム制御回路５０の内部メモリ或いはメモリ５２に記憶される画像表示フラグの状態を判定し、画像表示フラグが設定されていなければ直ちにステップＳ１３０に進む。また、画像表示フラグが設定されていればステップＳ１２９に進み、画像表示部２８の表示状態を固定色表示状態に設定して、ステップＳ１３０に進む。
【００５４】
上記固定色表示状態においては、撮像素子１２、Ａ／Ｄ変換器１６、画像処理回路２０、メモリ制御回路２２を介して、画像表示メモリ２４に書き込まれた撮影画像データの代わりに、差し替えた固定色の画像データを、メモリ制御回路２２、Ｄ／Ａ変換器２６を介して画像表示部２８により表示することにより、固定色の映像を電子ファインダーに表示している。
【００５５】
次のステップＳ１３０では、システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する。拡大設定がなされていた場合は、現像処理時に画像処理回路２０により画像データの拡大を行う。画像データの拡大は拡大設定時に指定された切り出し画素の画像を等倍の画像データの中央から切り出し、等倍と同画素の画像データになるように拡大する。
【００５６】
続くステップＳ１３１では、システム制御回路５０は、該システム制御回路５０の内部メモリ或いはメモリ５２に記憶される画像表示フラグの状態を判定し、画像表示フラグが設定されていなければ直ちにステップＳ１３３に進む。また、画像表示フラグが設定されていたならばステップＳ１３２に進み、クイックレビュー表示を行う。この場合は、撮影中も画像表示部２８が電子ファインダーとして常に表示された状態であり、撮影直後のクイックレビュー表示も行われる。
【００５７】
次のステップＳ１３３では、システム制御回路５０は、記録媒体２００或いは２１０へ画像データの書き込みを行う記録処理を実行する。そして、ステップＳ１３４にて、シャッタスイッチ１３４が押されたままであるかを判定し、押されたままであれば連続して撮影を行うためにステップＳ１３０に戻り、以下同様の動作を繰り返す。
【００５８】
また、上記ステップＳ１３４にてシャッタスイッチＳＷ２の押圧が解除されていれば、システム制御回路５０は、ステップＳ１３５に進み、所定のミニマムレビュー時間が経過するまで待機し、この時間が経過するとステップＳ１３６に進む。なお、このミニマムレビュー時間は、固定値としても、使用者が任意に設定することが可能としても、さらには所定の範囲内で使用者が任意に設定或いは選択することが可能としても、いずれの方法で設定しても構わない。
【００５９】
次のステップＳ１３６では、システム制御回路５０は、画像表示フラグが設定されているかを判定し、画像表示フラグが設定されていればステップＳ１３７に進み、画像表示部２８の表示状態をスルー表示状態に設定して、ステップＳ１３９に進む。この場合、画像表示部２８でのクイックレビュー表示によって撮影画像を確認した後に、次の撮影のために撮像した画像データを逐次表示するスルー表示状態にすることができる。また、画像表示フラグが解除されていたならばステップＳ１３８に進み、画像表示部２８の画像表示をＯＦＦ状態に設定して、ステップＳ１３９に進む。
【００６０】
次のステップＳ１３９では、システム制御回路５０は、シャッタスイッチＳＷ１が押された状態であるかを判定し、押された状態であればステップＳ１２１に戻って、次の撮影に備える。一方、シャッタスイッチＳＷ１の押圧が解除されていれば、一連の撮影動作を終えて、図２のステップＳ１０３に戻る。
【００６１】
以上で、一連の動作を終了する。
【００６２】
上記の実施例によれば、システム制御回路５０は、合焦判定結果が非合焦であった場合、ズームレンズを被写界深度が深くなるように広角側へ移動させて被写体が非合焦であった場合の被写体のピントずれを補うとともに、ズームレンズを広角側へ移動したことによる撮像範囲のずれを補うべく、画像処理部２０により、画像データの拡大処理、即ち撮像範囲の一部を切り出して拡大するようにしている。よって、撮影者に画角のずれによる違和感を与えることなく被写体のピントずれを補うことが可能な撮像装置とすることができる。
【００６３】
詳しくは、上記実施例の撮像装置は、シャッタスイッチＳＷ１とシャッタＳＷ２の２段階で撮影に関する指示を与えるものであり、１段階のスイッチであるシャッタスイッチＳＷ１が押されると、合焦動作や露出動作などの撮影準備が行われ、２段階のスイッチであるシャッタスイッチＳＷ２が押されると、撮像動作を行う構成となっている。その種の撮像装置において、１度に２段階の押圧が為されると、即ちシャッタスイッチＳＷ１とシャッタＳＷ２が同時に押されると、撮影準備動作と撮影動作が同時に行われることになり、撮影者は撮影される被写体が合焦状態であるかどうかを知らずに撮影してしまうことになる。
【００６４】
そこで、本実施例では、撮影時に被写体が合焦しているかどうかを撮影者が判断ができないような、同時押しが為された時は、フォーカシングを行うとともに合焦判定結果を判定し、合焦判定結果が非合焦であった場合、ズームレンズを広角側へ移動させて画像のピントずれを補い、つまり撮影者に被写体が合焦であったかどうかの判断を任せることなく、自動的に非合焦であったとしても画像のピントずれを補い、かつ、ズームレンズを広角側へ移動したことによる撮像範囲のずれを補うべく、撮像範囲の一部を切り出して拡大するようにしている。よって、撮影者に画角のずれによる違和感を与えることなく被写体のピントずれを補うことが可能であり、撮像装置の使い勝手を向上させることができる。
【００６５】
なお、上記実施例では、シャッタスイッチＳＷ１とシャッタスイッチＳＷ２が同時に押された状況において、ＡＦ合焦結果が非合焦であった場合に、ズームレンズをワイド側へ移動させていたが、例えば、動画撮影スイッチ６８によって動画撮影が指示されたときのＡＦ合焦結果が非合焦であった場合に、ズームレンズをワイド側へ移動させるなど、ＡＦ動作を指示する手段は限定されない。したがって、撮影時に被写体が合焦しているかどうかを撮影者が判断ができないような、動画撮影スイッチ６８の操作が為された時は、フォーカシングを行うとともに合焦判定結果を判定し、合焦判定結果が非合焦であった場合、ズームレンズを広角側へ移動させて画像のピントずれを補い、かつ、ズームレンズを広角側へ移動したことによる撮像範囲のずれを補うべく、撮像範囲の一部を切り出して拡大する構成にすれば、上記実施例と同様、撮影者に画角のずれによる違和感を与えることなく被写体のピントずれを補うことが可能であり、撮像装置の使い勝手を、さらに向上させることができる。
【００６６】
また、上記実施例では、絞り込めない場合または絞り込んでも合焦にならない場合はワイド側に移動するようにしているが、絞り込むことによりシャッタ秒時が長くなってしまい、手ぶれを起こしてしまう可能性がある場合等には、絞り込みを行わずにワイド側に移動するようにしてもよい。
【図面の簡単な説明】
【００６７】
【図１】本発明の一実施例に係わる撮像装置の回路構成を示すブロック図である。
【図２】本発明の一実施例に係わる撮像装置の動作の一部を示すフローチャートである。
【図３】図２の動作の続きを示すフローチャートである。
【図４】図３の測距・測光（１）の動作を示すフローチャートである。
【図５】図３の測距・測光（２）の動作を示すフローチャートである。
【図６】本発明の一実施例において画像拡大指定のデータテーブルを示す図である。
【符号の説明】
【００６８】
１０            撮影レンズ
１４            撮像素子
２０            画像処理部
２２            画像処理回路
４２            測距制御部
５０            システム制御回路
６２（ＳＷ１）  シャッタスイッチ
６４（ＳＷ２）  シャッタスイッチ
６８            動画撮影スイッチ
１００          撮像装置
【図１】
2006235060.tif 000003
【図２】
2006235060.tif 000004
【図３】
2006235060.tif 000005
【図４】
2006235060.tif 000006
【図５】
2006235060.tif 000007
【図６】
2006235060.tif 000008